(57)【特許請求の範囲】
【請求項１】
ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対して光源から出射され立上ミラーで反射されたレーザー光を対物レンズを介して照射する光ピックアップであって、
上記対物レンズ駆動装置は、
上記移動ベースに固定された固定ブロックと、
上記対物レンズと該対物レンズを保持するレンズホルダーとを有し該レンズホルダーに上記光源から出射され上記立上ミラーに入射される上記レーザー光が通過する光路用開口が形成されると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結する複数の支持バネと、
上記可動ブロックを上記フォーカス方向へ動作させ第１のフォーカス用コイルと第２のフォーカス用コイルと第１のフォーカス用マグネットと第２のフォーカス用マグネットを有するフォーカス用磁気回路と、
上記可動ブロックを上記トラッキング方向へ動作させトラッキング用コイルとトラッキング用マグネットを有するトラッキング用磁気回路とを備え、
上記可動ブロックの上記光路用開口を通過する上記レーザー光の光路が上記フォーカス方向及び上記トラッキング方向にともに直交する方向であるタンジェンシャル方向に一致され、
上記第１のフォーカス用コイルは上記可動ブロックの上記フォーカス方向への動作時に推力を発生させる第１の推力発生部と第２の推力発生部が上記タンジェンシャル方向に離隔した状態とされて上記レンズホルダーに取り付けられ、
上記第２のフォーカス用コイルは軸方向が上記タンジェンシャル方向とされた状態で上記レンズホルダーにおける上記固定ブロックに対向する側の面に取り付けられ、
上記第１のフォーカス用マグネットと上記第２のフォーカス用マグネットが上記可動ブロックを挟んでタンジェンシャル方向における反対側に配置された
ことを特徴とする光ピックアップ。
【請求項２】
上記第１のフォーカス用コイルと上記第２のフォーカス用コイルと上記トラッキング用コイルをそれぞれ四つの辺部によって構成された略角筒状に形成し、
上記第１のフォーカス用コイルの上記第２のフォーカス用コイル側に位置された辺部である第２の推力発生部を上記第２のフォーカス用コイルの上記トラッキング方向に延びる辺部とフォーカス方向において略一致させるようにした
ことを特徴とする請求項１に記載の光ピックアップ。
【請求項３】
上記第１のフォーカス用コイルに供給された駆動電流と上記第１のフォーカス用マグネットの磁束とによって上記第１のフォーカス用コイルの上記第１の推力発生部に発生する上記フォーカス方向における推力をＦ１ａとし、
上記第１のフォーカス用コイルに供給された駆動電流と上記第２のフォーカス用マグネットの磁束とによって上記第１のフォーカス用コイルの上記第２の推力発生部に発生する上記フォーカス方向における推力をＦ１ｂとし、
上記第２のフォーカス用コイルに供給された駆動電流と上記第２のフォーカス用マグネットの磁束とによって上記第２のフォーカス用コイルに発生する上記フォーカス方向における推力をＦ２とし、
上記可動ブロックの重心をＧとし、
上記重心Ｇを含みタンジェンシャル方向を向く面をＳとし、
上記面Ｓと上記推力Ｆ１ａが発生する推力発生点との最短距離をＬ１ａとし、
上記面Ｓと上記推力Ｆ１ｂが発生する推力発生点との最短距離をＬ１ｂとし、
上記面Ｓと上記推力Ｆ２が発生する推力発生点との最短距離をＬ２としたときに、
Ｆ１ａ×Ｌ１ａ＝Ｆ１ｂ×Ｌ１ｂ＋Ｆ２×Ｌ２
を満足するようにした
ことを特徴とする請求項１に記載の光ピックアップ。
【請求項４】
上記対物レンズを上記トラッキング方向に複数並べて配置し、
上記複数の対物レンズを囲むようにして上記第１のフォーカス用コイルを配置した
ことを特徴とする請求項１に記載の光ピックアップ。
【請求項５】
ディスク状記録媒体が装着されるディスクテーブルと該ディスクテーブルに装着される上記ディスク状記録媒体に対して光源から出射され立上ミラーで反射されたレーザー光を対物レンズを介して照射する光ピックアップとを備え、該光ピックアップは上記ディスクテーブルに装着される上記ディスク状記録媒体の半径方向へ移動される移動ベースと該移動ベースに配置された対物レンズ駆動装置とを有するディスクドライブ装置であって、
上記対物レンズ駆動装置は、
上記移動ベースに固定された固定ブロックと、
上記対物レンズと該対物レンズを保持するレンズホルダーとを有し該レンズホルダーに上記光源から出射され上記立上ミラーに入射される上記レーザー光が通過する光路用開口が形成されると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結する複数の支持バネと、
上記可動ブロックを上記フォーカス方向へ動作させ第１のフォーカス用コイルと第２のフォーカス用コイルと第１のフォーカス用マグネットと第２のフォーカス用マグネットを有するフォーカス用磁気回路と、
上記可動ブロックを上記トラッキング方向へ動作させトラッキング用コイルとトラッキング用マグネットを有するトラッキング用磁気回路とを備え、
上記可動ブロックの上記光路用開口を通過する上記レーザー光の光路が上記フォーカス方向及び上記トラッキング方向にともに直交する方向であるタンジェンシャル方向に一致され、
上記第１のフォーカス用コイルは上記可動ブロックの上記フォーカス方向への動作時に推力を発生させる第１の推力発生部と第２の推力発生部が上記タンジェンシャル方向に離隔した状態とされて上記レンズホルダーに取り付けられ、
上記第２のフォーカス用コイルは軸方向が上記タンジェンシャル方向とされた状態で上記レンズホルダーにおける上記固定ブロックに対向する側の面に取り付けられ、
上記第１のフォーカス用マグネットと上記第２のフォーカス用マグネットが上記可動ブロックを挟んでタンジェンシャル方向における反対側に配置された
ことを特徴とするディスクドライブ装置。
【発明の詳細な説明】
【技術分野】
【０００１】
本発明は光ピックアップ及びディスクドライブ装置に関する。詳しくは、レンズホルダーに対する取付向きが異なる第１のフォーカス用コイルと第２のフォーカス用コイルを設けて薄型化を確保すると共にフォーカス動作に必要な大きな推力を確保する技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置は、固定ブロックと該固定ブロックに金属製のワイヤー等の複数の支持バネを介して支持された可動ブロックとを備えている。
【０００４】
光ピックアップにあっては、対物レンズを保持するレンズホルダーを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
このような光ピックアップに設けられた対物レンズ駆動装置には、可動ブロックをフォーカス方向へ動作させるためのフォーカス用磁気回路及び可動ブロックをトラッキング方向へ動作させるためのトラッキング用磁気回路が設けられており、これらの各磁気回路がそれぞれコイルとマグネットを有している。
【０００６】
対物レンズ駆動装置は、可動ブロックと固定ブロックがフォーカス方向及びトラッキング方向にともに直交する方向であるタンジェンシャル方向に離隔した状態で支持バネによって連結されている。
【０００７】
光ピックアップがディスク状記録媒体の半径方向へ移動されるときには、対物レンズの下方に配置された立上ミラーに、レーザー光がレンズホルダーの固定ブロックに対向する面と反対側の面に形成された光路用開口を透過されて入射され、立上ミラーで反射されたレーザー光が対物レンズを介してディスク状記録媒体の記録面に照射される。このとき対物レンズを介してディスク状記録媒体に照射されたレーザー光のスポットがディスク状記録媒体の記録トラックに集光されるように、上記したフォーカス調整及びトラッキング調整が行われる。
【０００８】
従来の対物レンズ駆動装置には、対物レンズを保持するレンズホルダーのタンジェンシャル方向における両側の面にそれぞれフォーカス用コイルが取り付けられ、これらのフォーカス用コイルとフォーカス用マグネットによって発生するフォーカス方向における推力の中心（駆動中心）を可動ブロックの重心又は対物レンズの中心に一致させるようにしたものがある（例えば、特許文献１参照）。
【０００９】
このように推力の中心を可動ブロックの重心又は対物レンズの中心に一致させてフォーカス動作を行うことにより、不要共振の防止が図られフォーカス動作の信頼性の向上を図ることが可能である。
【００１０】
【特許文献１】特開２００７−１０２９１２号公報
【発明の開示】
【発明が解決しようとする課題】
【００１１】
ところが、上記した従来の対物レンズ駆動装置にあっては、レンズホルダーのタンジェンシャル方向における両側の面にそれぞれフォーカス用コイルを取り付けるため、レンズホルダーのタンジェンシャル方向における一方の面に取り付けられるフォーカス用コイルを、光路用開口が存在しない位置に取り付ける必要がある。
【００１２】
従って、上記した一方の面に取り付けられるフォーカス用コイルを大型化すると、その分、レンズホルダーが大きくなり対物レンズ駆動装置の小型化を図ることができなくなってしまう。一方、対物レンズ駆動装置の小型化を図るために、上記した一方の面に取り付けられるフォーカス用コイルを小さくすると、フォーカス動作時にフォーカス用磁気回路に発生する推力が小さくなり、フォーカス動作に必要な十分な推力を確保することができなくなってしまう。
【００１３】
そこで、本発明光ピックアップ及びディスクドライブ装置は、上記した問題点を克服し、薄型化を確保すると共にフォーカス動作に必要な大きな推力を確保することを課題とする。
【課題を解決するための手段】
【００１４】
光ピックアップ及びディスクドライブ装置は、上記した課題を解決するために、対物レンズ駆動装置に、移動ベースに固定された固定ブロックと、対物レンズと該対物レンズを保持するレンズホルダーとを有し該レンズホルダーに光源から出射され立上ミラーに入射されるレーザー光が通過する光路用開口が形成されると共に上記固定ブロックに対して少なくともディスク状記録媒体の記録面に離接する方向であるフォーカス方向及び上記ディスク状記録媒体の略半径方向であるトラッキング方向へ動作される可動ブロックと、上記固定ブロックと上記可動ブロックを連結する複数の支持バネと、上記可動ブロックを上記フォーカス方向へ動作させ第１のフォーカス用コイルと第２のフォーカス用コイルと第１のフォーカス用マグネットと第２のフォーカス用マグネットを有するフォーカス用磁気回路と、上記可動ブロックを上記トラッキング方向へ動作させトラッキング用コイルとトラッキング用マグネットを有するトラッキング用磁気回路とを設け、上記可動ブロックの上記光路用開口を通過する上記レーザー光の光路が上記フォーカス方向及び上記トラッキング方向にともに直交する方向であるタンジェンシャル方向に一致され、上記第１のフォーカス用コイルは上記可動ブロックの上記フォーカス方向への動作時に推力を発生させる第１の推力発生部と第２の推力発生部が上記タンジェンシャル方向に離隔した状態とされて上記レンズホルダーに取り付けられ、上記第２のフォーカス用コイルは軸方向が上記タンジェンシャル方向とされた状態で上記レンズホルダーにおける上記固定ブロックに対向する側の面に取り付けられ、上記第１のフォーカス用マグネットと上記第２のフォーカス用マグネットを上記可動ブロックを挟んでタンジェンシャル方向における反対側に配置したものである。
【００１５】
従って、光ピックアップ及びディスクドライブ装置にあっては、レンズホルダーの光路用開口が形成された面に軸方向がタンジェンシャル方向とされた状態で巻回されたフォーカス用コイルが存在しない。
【発明の効果】
【００１６】
本発明光ピックアップは、ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対して光源から出射され立上ミラーで反射されたレーザー光を対物レンズを介して照射する光ピックアップであって、上記対物レンズ駆動装置は、上記移動ベースに固定された固定ブロックと、上記対物レンズと該対物レンズを保持するレンズホルダーとを有し該レンズホルダーに上記光源から出射され上記立上ミラーに入射される上記レーザー光が通過する光路用開口が形成されると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、上記固定ブロックと上記可動ブロックを連結する複数の支持バネと、上記可動ブロックを上記フォーカス方向へ動作させ第１のフォーカス用コイルと第２のフォーカス用コイルと第１のフォーカス用マグネットと第２のフォーカス用マグネットを有するフォーカス用磁気回路と、上記可動ブロックを上記トラッキング方向へ動作させトラッキング用コイルとトラッキング用マグネットを有するトラッキング用磁気回路とを備え、上記可動ブロックの上記光路用開口を通過する上記レーザー光の光路が上記フォーカス方向及び上記トラッキング方向にともに直交する方向であるタンジェンシャル方向に一致され、上記第１のフォーカス用コイルは上記可動ブロックの上記フォーカス方向への動作時に推力を発生させる第１の推力発生部と第２の推力発生部が上記タンジェンシャル方向に離隔した状態とされて上記レンズホルダーに取り付けられ、上記第２のフォーカス用コイルは軸方向が上記タンジェンシャル方向とされた状態で上記レンズホルダーにおける上記固定ブロックに対向する側の面に取り付けられ、上記第１のフォーカス用マグネットと上記第２のフォーカス用マグネットが上記可動ブロックを挟んでタンジェンシャル方向における反対側に配置されたことを特徴とする。
【００１７】
従って、レンズホルダーの光路用開口の大きな開口面積を確保することができると共に可動ブロックの薄型化を図ることができ、薄型化を確保すると共にフォーカス動作に必要な大きな推力を確保することができる。
【００１８】
請求項２に記載した発明にあっては、上記第１のフォーカス用コイルと上記第２のフォーカス用コイルと上記トラッキング用コイルをそれぞれ四つの辺部によって構成された略角筒状に形成し、上記第１のフォーカス用コイルの上記第２のフォーカス用コイル側に位置された辺部である第２の推力発生部を上記第２のフォーカス用コイルの上記トラッキング方向に延びる辺部とフォーカス方向において略一致させるようにしたので、第２の推力発生部が第２のフォーカス用マグネットの磁力の強い位置に存在することとなり、フォーカス動作時における大きな推力を得ることができる。
【００１９】
請求項３に記載した発明にあっては、上記第１のフォーカス用コイルに供給された駆動電流と上記第１のフォーカス用マグネットの磁束とによって上記第１のフォーカス用コイルの上記第１の推力発生部に発生する上記フォーカス方向における推力をＦ１ａとし、上記第１のフォーカス用コイルに供給された駆動電流と上記第２のフォーカス用マグネットの磁束とによって上記第１のフォーカス用コイルの上記第２の推力発生部に発生する上記フォーカス方向における推力をＦ１ｂとし、上記第２のフォーカス用コイルに供給された駆動電流と上記第２のフォーカス用マグネットの磁束とによって上記第２のフォーカス用コイルに発生する上記フォーカス方向における推力をＦ２とし、上記可動ブロックの重心をＧとし、上記重心Ｇを含みタンジェンシャル方向を向く面をＳとし、上記面Ｓと上記推力Ｆ１ａが発生する推力発生点との最短距離をＬ１ａとし、上記面Ｓと上記推力Ｆ１ｂが発生する推力発生点との最短距離をＬ１ｂとし、上記面Ｓと上記推力Ｆ２が発生する推力発生点との最短距離をＬ２としたときに、Ｆ１ａ×Ｌ１ａ＝Ｆ１ｂ×Ｌ１ｂ＋Ｆ２×Ｌ２を満足するようにしたので、フォーカス動作時に重心を中心としたタンジェンシャル方向に対する傾きが発生することがなく、フォーカス動作時における良好なサーボ特性を確保することができる。
【００２０】
請求項４に記載した発明にあっては、上記対物レンズを上記トラッキング方向に複数並べて配置し、上記複数の対物レンズを囲むようにして上記第１のフォーカス用コイルを配置したので、安定したフォーカス動作を実現することができると共にフォーカス動作に必要な大きな推力を確保することができる。
【００２１】
本発明ディスクドライブ装置は、ディスク状記録媒体が装着されるディスクテーブルと該ディスクテーブルに装着される上記ディスク状記録媒体に対して光源から出射され立上ミラーで反射されたレーザー光を対物レンズを介して照射する光ピックアップとを備え、該光ピックアップは上記ディスクテーブルに装着される上記ディスク状記録媒体の半径方向へ移動される移動ベースと該移動ベースに配置された対物レンズ駆動装置とを有するディスクドライブ装置であって、上記対物レンズ駆動装置は、上記移動ベースに固定された固定ブロックと、上記対物レンズと該対物レンズを保持するレンズホルダーとを有し該レンズホルダーに上記光源から出射され上記立上ミラーに入射される上記レーザー光が通過する光路用開口が形成されると共に上記固定ブロックに対して少なくとも上記ディスク状記録媒体の記録面に離接する方向であるフォーカス方向及び上記ディスク状記録媒体の略半径方向であるトラッキング方向へ動作される可動ブロックと、上記固定ブロックと上記可動ブロックを連結する複数の支持バネと、上記可動ブロックを上記フォーカス方向へ動作させ第１のフォーカス用コイルと第２のフォーカス用コイルと第１のフォーカス用マグネットと第２のフォーカス用マグネットを有するフォーカス用磁気回路と、上記可動ブロックを上記トラッキング方向へ動作させトラッキング用コイルとトラッキング用マグネットを有するトラッキング用磁気回路とを備え、上記可動ブロックの上記光路用開口を通過する上記レーザー光の光路が上記フォーカス方向及び上記トラッキング方向にともに直交する方向であるタンジェンシャル方向に一致され、上記第１のフォーカス用コイルは上記可動ブロックの上記フォーカス方向への動作時に推力を発生させる第１の推力発生部と第２の推力発生部が上記タンジェンシャル方向に離隔した状態とされて上記レンズホルダーに取り付けられ、上記第２のフォーカス用コイルは軸方向が上記タンジェンシャル方向とされた状態で上記レンズホルダーにおける上記固定ブロックに対向する側の面に取り付けられ、上記第１のフォーカス用マグネットと上記第２のフォーカス用マグネットが上記可動ブロックを挟んでタンジェンシャル方向における反対側に配置されたことを特徴とする。
【００２２】
従って、レンズホルダーの光路用開口の大きな開口面積を確保することができると共に可動ブロックの薄型化を図ることができ、薄型化を確保すると共にフォーカス動作に必要な大きな推力を確保することができる。
【発明を実施するための最良の形態】
【００２３】
以下に、本発明光ピックアップ及びディスクドライブ装置の最良の形態を添付図面を参照して説明する。
【００２４】
ディスクドライブ装置１は、外筐２内に所要の各部材及び各機構が配置されて成り（図１参照）、外筐２には図示しないディスク挿入口が形成されている。
【００２５】
外筐２内には図示しないシャーシが配置され、該シャーシに取り付けられたスピンドルモーターのモーター軸にディスクテーブル３が固定されている。
【００２６】
シャーシには、平行なガイド軸４、４が取り付けられると共に図示しない送りモーターによって回転されるリードスクリュー５が支持されている。
【００２７】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２８】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されたディスク状記録媒体１００の半径方向（ラジアル方向）へ移動される。
【００２９】
対物レンズ駆動装置８は固定ブロック９と該固定ブロック９に対して動作される可動ブロック１０とを有し（図２及び図３参照）、移動ベース７に配置されている（図１参照）。
【００３０】
固定ブロック９は移動ベース７に固定されている。固定ブロック９の後面には回路基板１１が取り付けられている。
【００３１】
可動ブロック１０はレンズホルダー１２に所要の各部が取り付けられて成る（図４及び図５参照）。
【００３２】
レンズホルダー１２の上端寄りの位置における全周にはコイル巻回用溝１２ａが形成されている。コイル取付用溝１２ａには略角筒状の第１のフォーカス用コイル１３が取り付けられている。従って、第１のフォーカス用コイル１３は軸方向がフォーカス方向（上下方向）とされている。
【００３３】
第１のフォーカス用コイル１３は前後に位置する部分がそれぞれ左右方向に延びる第１の推力発生部１３ａと第２の推力発生部１３ｂとして設けられている。
【００３４】
レンズホルダー１２には前方に開口された光路用開口１２ｂが形成されている。
【００３５】
レンズホルダー１２の上面はレンズ取付部１２ｃとして形成され、該レンズ取付部１２ｃに対物レンズ１４、１５が取り付けられて保持されている。対物レンズ１４、１５は左右方向（ラジアル方向）に離隔して配置され、種類の異なるディスク状記録媒体１００、例えば、レーザー光の使用波長が７８０ｎｍ付近であるＣＤ（Compact Disc）、使用波長が６６０ｎｍ付近であるＤＶＤ（Digital Versatile Disc）、使用波長が４０５ｎｍ付近であるブルーレイディスク（Blu-ray Disc）等に対応して設けられている。
【００３６】
対物レンズ１４、１５の下方にはそれぞれ図示しない立上ミラーが配置されている。立上ミラーは図示しない光源から出射され光路用開口１２ｂを介して入射されたレーザー光を直角に折り曲げてそれぞれ対物レンズ１４、１５に入射させる機能を有する。
【００３７】
レンズホルダー１２の後面はコイル取付部１２ｄとして形成され、該コイル取付部１２ｄに第２のフォーカス用コイル１６とトラッキング用コイル１７、１７が取り付けられている。第２のフォーカス用コイル１６及びトラッキング用コイル１７、１７は何れも略角筒状に形成され、軸方向がタンジェンシャル方向となる向きでコイル取付部１２ｄに取り付けられている。トラッキング用コイル１７、１７は第２のフォーカス用コイル１６を挟んだ左右両側にそれぞれ配置されている。レンズホルダー１２には図示しない一対のチルト用コイルが取り付けられている。
【００３８】
レンズホルダー１２のコイル取付部１２ｄにおける左右両端部には、それぞれ接続基板１８、１８が取り付けられている。接続基板１８、１８の接続端子にはそれぞれ第１のフォーカス用コイル１３、第２のフォーカス用コイル１６、トラッキング用コイル１７、１７及びチルト用コイルの各端部が接続されている。接続基板１８、１８には、図２及び図３に示すように、それぞれ支持バネ１９、１９、・・・の前端部が、例えば、半田付けによって接合されている。支持バネ１９、１９、・・・は、導電性金属材料によって、例えば、ワイヤー状に形成されている。
【００３９】
固定ブロック９に取り付けられた回路基板１１にはそれぞれ支持バネ１９、１９、・・・の後端部が、例えば、半田付けによって接合されている。
【００４０】
上記のように支持バネ１９、１９、・・・の両端部が可動ブロック１０の接続基板１８、１８と固定ブロック９の回路基板１１に接合されることにより、可動ブロック１０が支持バネ１９、１９、・・・によって固定ブロック９と連結されて中空に保持される。
【００４１】
対物レンズ駆動装置８にあっては、図示しない電源回路から回路基板１１、支持バネ１９、１９、・・・及び接続基板１８、１８を介してそれぞれ第１のフォーカス用コイル１３、第２のフォーカス用コイル１６、トラッキング用コイル１７、１７及びチルト用コイルに駆動電流が供給される。
【００４２】
可動ブロック１０の前側には横長の第１のフォーカス用マグネット２０が配置されている（図２乃至図５参照）。第１のフォーカス用マグネット２０は、例えば、移動ベース７の図示しない取付部に取り付けられ、光路用開口１２ｂの上側で第１のフォーカス用コイル１３の第１の推力発生部１３ａの前側に位置されている。
【００４３】
移動ベース７には磁性金属材料によって形成されたヨーク部材２１が配置されている（図２及び図３参照）。
【００４４】
ヨーク部材２１は上下方向を向くベース部２１ａと該ベース部２１ａから上方へ突出されたヨーク部２１ｂとを有している。
【００４５】
ヨーク部２１ｂの前面には第２のフォーカス用マグネット２２及びトラッキング用マグネット２３、２３が取り付けられている。ヨーク部材２１には図示しないチルト用マグネットが取り付けられている。
【００４６】
尚、ヨーク部材２１はベース部２１ａとヨーク部２１ｂが別部品として構成されていてもよい。この場合に、例えば、ベース部２１ａに、固定ブロック９を移動ベース７に固定すると共にヨーク部２１ｂを保持する機能を持たせ、ヨーク部２１ｂに専用のヨークとしての機能を持たせるように構成することが可能である。
【００４７】
第２のフォーカス用マグネット２２は第１のフォーカス用コイル１３の第２の推力発生部１３ｂに対向して位置され、トラッキング用マグネット２３、２３はそれぞれトラッキング用コイル１７、１７に対向して位置され、チルト用マグネットはそれぞれチルト用コイルに対向して位置される。
【００４８】
尚、対物レンズ駆動装置８にあっては、専用のチルト用マグネットが設けられていない構成であってもよく、例えば、フォーカス用マグネット２２がチルト用マグネットを兼用する構成とすることが可能である。この場合には、チルト用コイルはチルト用マグネットを兼用するフォーカス用マグネット２２に対向して位置される。
【００４９】
第１のフォーカス用コイル１３と第２のフォーカス用コイル１６と第１のフォーカス用マグネット２０と第２のフォーカス用マグネット２２とヨーク部材２１によってフォーカス用磁気回路が構成され、トラッキング用コイル１７、１７とトラッキング用マグネット２３、２３とヨーク部材２１によってトラッキング用磁気回路が構成され、チルト用コイルとチルト用マグネットとヨーク部材２１によってチルト用磁気回路が構成される。
【００５０】
図示しない電源回路から第１のフォーカス用コイル１３、第２のフォーカス用コイル１６、トラッキング用コイル１７、１７又はチルト用コイルに駆動電流が供給されると、これらの駆動電流の向きと第１のフォーカス用マグネット２０、第２のフォーカス用マグネット２２、トラッキング用マグネット２３、２３又はチルト用マグネットにより発生する磁束の方向とに応じた向きの力（推力）が発生し、可動ブロック１０がフォーカス方向、トラッキング方向又はチルト方向へ動作される。
【００５１】
フォーカス方向はディスク状記録媒体１００に離接する方向（図２及び図３に示すＦ方向）、即ち、上下方向であり、トラッキング方向はディスク状記録媒体１００の半径方向（図２及び図３に示すＴＲ方向）、即ち、左右方向であり、チルト方向はフォーカス方向及びトラッキング方向にともに直交する方向（タンジェンシャル方向）に延びる軸の軸回り方向（図２及び図３に示すＴＩ方向）である。
【００５２】
可動ブロック１０がフォーカス方向、トラッキング方向又はチルト方向へ動作されるときには、支持バネ１９、１９、・・・が弾性変形される。
【００５３】
上記したフォーカス動作においては、電源回路から第１のフォーカス用コイル１３及び第２のフォーカス用コイル１６に駆動電流が供給されたときに、第１のフォーカス用コイル１３の第１の推力発生部１３ａ、第２の推力発生部１３ｂ及び第２のフォーカス用コイル１６に可動ブロック１０をフォーカス方向へ動作させる推力が発生する（図６参照）。第１の推力発生部１３ａの推力の発生点をＡとし、第２の推力発生部１３ｂの推力の発生点をＢとし、第２のフォーカス用コイル１６の推力の発生点をＣとすると、例えば、上方への推力が発生したときには、発生点Ａに推力Ｆ１ａが生じ、発生点Ｂに推力Ｆ１ｂが生じ、発生点Ｃに推力Ｆ２が生じる。従って、可動ブロック１０をフォーカス方向へ動作させる力は推力Ｆ１ａと推力Ｆ１ｂと推力Ｆ２の合力となる。
【００５４】
対物レンズ駆動装置８にあっては、可動ブロック９の重心をＧとし、重心Ｇを含みタンジェンシャル方向を向く面をＳとし、面Ｓと発生点Ａとの最短距離をＬ１ａ、面Ｓと発生点Ｂとの最短距離をＬ１ｂ、面Ｓと発生点Ｃとの最短距離をＬ２としたときに
Ｆ１ａ×Ｌ１ａ＝Ｆ１ｂ×Ｌ１ｂ＋Ｆ２×Ｌ２・・・（１）
が成り立つように設定されている。
【００５５】
式（１）は、左辺が図６で見て反時計回り方向のモーメントを示し、右辺が図６で見て時計回り方向のモーメントを示しており、反時計回り方向のモーメントと時計回り方向のモーメントが等しいことを表している。従って、対物レンズ駆動装置８にあっては、フォーカス動作時に重心Ｇを中心としたタンジェンシャル方向に対する傾き、即ち、対物レンズ１４、１５が前下がり又は前上がりの状態となる向きの傾きが発生することがなく、フォーカス動作時における良好なサーボ特性を確保することができる。
【００５６】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００５７】
この記録動作及び再生動作において、第１のフォーカス用コイル１３及び第２のフォーカス用コイル１６に駆動電流が供給されると、上記したように、対物レンズ駆動装置８の可動ブロック１０が固定ブロック９に対して図２及び図３に示すフォーカス方向Ｆ−Ｆへ動作され、対物レンズ１４、１５を介して照射されるレーザー光のスポットがディスク状記録媒体１００の記録面に集光するようにフォーカス調整が行われる。
【００５８】
また、トラッキング用コイル１７、１７に駆動電流が供給されると、上記したように、対物レンズ駆動装置８の可動ブロック１０が固定ブロック９に対して図２及び図３に示すトラッキング方向ＴＲ−ＴＲへ動作され、対物レンズ１４、１５を介して照射されるレーザー光のスポットがディスク状記録媒体１００の記録トラック上に集光するようにトラッキング調整が行われる。
【００５９】
さらに、チルト用コイルに駆動電流が供給されると、上記したように、対物レンズ駆動装置８の可動ブロック１０が固定ブロック９に対して図２及び図３に示すチルト方向ＴＩ−ＴＩへ動作され、対物レンズ１４、１５を介して照射されるレーザー光の光軸がディスク状記録媒体１００の記録面に垂直となるようにチルト調整が行われる。
【００６０】
尚、上記には、第１のフォーカス用コイル１３を水平な状態で配置した例を示したが、例えば、図７に示すように、傾斜させた状態で第１のフォーカス用コイル１３Ａを配置するようにしてもよい。第１のフォーカス用コイル１３Ａは、第１の推力発生部１３ａが第２の推力発生部１３ｂより上側に位置するようにレンズホルダー１２に傾斜した状態で取り付けられている。下方に位置する第２の推力発生部１３ｂは第２のフォーカス用コイル１６における上側に位置する辺部１６ａと同じ高さに位置されている。
【００６１】
このように第１のフォーカス用コイル１３Ａの第２の推力発生部１３ｂを第２のフォーカス用コイル１６における上側に位置する辺部１６ａと同じ高さに位置させることにより、辺部１６ａがフォーカス方向における推力を発生する部分であり第２のフォーカス用マグネット２２の磁力の強い位置に存在する部分であるため、第２の推力発生部１３ｂも第２のフォーカス用マグネット２２の磁力の強い位置に存在することとなり、フォーカス動作時における大きな推力を得ることができる。
【００６２】
以上に記載した通り、光ピックアップ６にあっては、第１のフォーカス用コイル１３と第２のフォーカス用コイル１６を設け、第１のフォーカス用コイル１３を第１の推力発生部１３ａと第２の推力発生部１３ｂが前後に位置する状態でレンズホルダー１２に取り付け、第２のフォーカス用コイル１６を軸方向がタンジェンシャル方向とした状態でレンズホルダー１２に取り付けるようにしたので、レンズホルダー１２の光路用開口１２ｂの大きな開口面積を確保することができると共にレンズホルダー１２の前面にフォーカス用コイルが取り付けられないため可動ブロック１０の薄型化を図ることができ、薄型化を確保すると共にフォーカス動作に必要な大きな推力を確保することができる。
【００６３】
また、レンズホルダー１２の前面にフォーカス用コイルが取り付けられないため、可動ブロック１０のタンジェンシャル方向における小型化が図られ、高い高次共振特性を確保することができる。
【００６４】
さらに、可動ブロック１０の薄型化により該可動ブロック１０が軽量となり、フォーカス動作、トラッキング動作及びチルト動作における感度の向上を図ることができる。
【００６５】
加えて、対物レンズ駆動装置８にあっては、二つの対物レンズ１４、１５を囲む位置に第１のフォーカス用コイル１３が配置されているため、安定したフォーカス動作を実現することができると共にフォーカス動作に必要な大きな推力を確保することができる。
【００６６】
尚、上記には、二つの対物レンズ１４、１５が配置された例を示したが、対物レンズの数は二つに限られることはなく、一つでもよく、また、三つ以上の複数であってもよい。
【００６７】
また、上記には、チルト用コイルに駆動電流が供給されたときにチルト調整が行われる例を示したが、対物レンズ駆動装置８にあっては、専用のチルト用磁気回路を有さず、チルト用磁気回路がフォーカス用磁気回路又はトラッキング用磁気回路と兼用されている構成とすることも可能である。例えば、フォーカス用磁気回路がチルト用磁気回路と兼用される構成とした場合には、第１のフォーカス用コイル１３と第２のフォーカス用コイル１６に逆方向への駆動電流が供給されることにより、可動ブロック１０が固定ブロック９に対して図２及び図３に示すチルト方向ＴＩ−ＴＩへ動作されてチルト調整が行われる。
【００６８】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００６９】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７０】
【図１】図２乃至図７と共に本発明光ピックアップ及びディスクドライブ装置を実施するための最良の形態を示すものであり、本図はディスクドライブ装置の概略斜視図である。
【図２】対物レンズ駆動装置の拡大斜視図である。
【図３】対物レンズ駆動装置を図２とは別の方向から見た状態で示す拡大斜視図である。
【図４】可動ブロックの拡大斜視図である。
【図５】可動ブロックを図４とは別の方向から見た状態で示す拡大斜視図である。
【図６】可動ブロックの重心と推力発生点との関係を示す概念図である。
【図７】別の可動ブロックを示す拡大斜視図である。
【符号の説明】
【００７１】
１…ディスクドライブ装置、３…ディスクテーブル、６…光ピックアップ、７…移動ベース、８…対物レンズ駆動装置、９…固定ブロック、１０…可動ブロック、１２…レンズホルダー、１２ｂ…光路用開口、１３…第１のフォーカス用コイル、１３ａ…第１の推力発生部、１３ｂ…第２の推力発生部、１４…対物レンズ、１５…対物レンズ、１６…第２のフォーカス用コイル、１７…トラッキング用コイル、１９…支持バネ、２０…第１のフォーカス用マグネット、２２…第２のフォーカス用マグネット、２３…トラッキング用マグネット、１３Ａ…第１のフォーカス用コイル、１６ａ…辺部、１００…ディスク状記録媒体
【図１】
0004775661.tif 000002
【図２】
0004775661.tif 000003
【図３】
0004775661.tif 000004
【図４】
0004775661.tif 000005
【図５】
0004775661.tif 000006
【図６】
0004775661.tif 000007
【図７】
0004775661.tif 000008